(57)【特許請求の範囲】
【請求項１】
少なくとも一つの第１スピーカーと、前記第１スピーカーに隣接する少なくとも一つの第２スピーカーと、前記第２スピーカーに隣接する少なくとも一つの第３スピーカーと、前記第１スピーカーと前記第２スピーカーとの間及び前記第２スピーカーと前記第３スピーカーとの間に設置した少なくとも一つの感知スイッチと、前記感知スイッチに電気的接続したオーディオ制御装置と、を含み、
前記第１スピーカーが前記第２スピーカーと分離された、または前記第２スピーカーが前記第３スピーカーと分離された場合、前記感知スイッチが前記オーディオ制御装置に信号を出力し、前記オーディオ制御装置がチャンネルの切り替えを行うことを特徴とする、マルチチャンネルスピーカー。
【請求項２】
前記第１スピーカーと前記第２スピーカーと前記第３スピーカーの接続は有線接続或いは無線接続であることを特徴とする、請求項１に記載のマルチチャンネルスピーカー。
【請求項３】
前記感知スイッチは機械式トリガー機構であることを特徴とする、請求項１に記載のマルチチャンネルスピーカー。
【請求項４】
前記感知スイッチはタッチ式感知機構であることを特徴とする、請求項１に記載のマルチチャンネルスピーカー。
【発明の詳細な説明】
【技術分野】
【０００１】
本発明はマルチチャンネルスピーカーに関する。特に、スイッチによりチャンネルを切替える必要がないマルチチャンネルスピーカーに関連する。
【背景技術】
【０００２】
コンピュータ技術の発展及びインターネットネットワークの進歩に伴い、多数のビデオ・オーディオファイルの再生がネットを通じてコンピュータで可能となっているため、マルチメディアの周辺装置に対する要求が高くなり、通常の２.０チャンネルから５.１チャンネル、更には７.１チャンネルのように、ますます高機能のスピーカーが販売されている。しかしながら、如何なる場合にも５.１チャンネルや７.１チャンネルを使用する必要があるわけではない。通常、例えばネットフォンを使っている場合は一チャンネル又は二チャンネルのみで十分である。テレビやビデオの閲覧、またはゲームをする場合は、５.１チャンネルか７.１チャンネルに切替える必要がある。従って、現在数多くのマルチチャンネルを切替えるスピーカーは販売されているが、チャンネルを切替えたい場合はボタンで切り替えなければならない。
【先行技術文献】
【特許文献】
【０００３】
【特許文献１】台湾公開公報第２０１０１９７４６号
【０００４】
然しながら、ボタンによるチャンネルの切り替えは迅速に直感的に切替えを行うことができないので、チャンネル切り替えを迅速に直感的に行うことができるマルチチャンネルスピーカーの設計に対するニーズが発生する。
【発明の概要】
【発明が解決しようとする課題】
【０００５】
このような問題点に鑑み、本発明の目的は、ボタンを用いる必要が無く、チャンネルの切替えを行うことができるマルチチャンネルスピーカーを提供することである。
【０００６】
本発明の更に別の目的は、直感にチャンネルを切り替えることができるマルチチャンネルスピーカーを提供することである。
【課題を解決するための手段】
【０００７】
本発明は、前述したように、第１スピーカーと、第２スピーカーと、感知スイッチと、オーディオ制御装置とが含まれるマルチチャンネルスピーカーを提供する。第２スピーカーは第１スピーカーに隣接され、感知スイッチは第１スピーカーと第２スピーカーとの間に設置され、オーディオ制御装置は感知スイッチに電気的に接続されている。第１スピーカーと第２スピーカーとが分離された際に、感知スイッチはオーディオ制御装置まで信号を出力し、オーディオ制御装置がチャンネルの切り替えを行う。
【０００８】
本発明は、前述したように、第１スピーカー、第２スピーカー、第３スピーカー、感知スイッチ及びオーディオ制御装置が含まれるマルチチャンネルスピーカーを提供する。第２スピーカーが第１スピーカーに隣接され、第３スピーカーが第２スピーカーに隣接され、感知スイッチが第１スピーカーと第２スピーカー、及び第２スピーカーと第３スピーカーとの間に設置され、オーディオ制御装置が感知スイッチに電気的接続されている。第１スピーカーが第２スピーカーと分離される、又は第２スピーカーが第３スピーカーと分離される際に、感知スイッチはオーディオ制御装置まで信号を出力して、オーディオ制御装置がチャンネルの切り替えを行う。
【図面の簡単な説明】
【０００９】
【図１Ａ】本実施例に係るより好ましいマルチチャンネルスピーカーを示した平面図である。
【図１Ｂ】本実施例に係るより好ましいマルチチャンネルスピーカーを示した平面図である。
【図２Ａ】本実施例に係るマルチチャンネルスピーカーを示した平面図である。
【図２Ｂ】本実施例に係るマルチチャンネルスピーカーを示した平面図である。
【発明を実施するための形態】
【００１０】
本発明の特徴、実施例及び効果について、本発明の最良の形態とする図面を参照して詳細に説明する。
＜実施例＞
【００１１】
本発明に係る実施例について下記の通り詳細に説明する。然しながら、以下の記述のほか、本発明はこれ以外の実施が大幅に可能であり、且つ本発明の範囲は実施例に制限されず、後述の特許請求の範囲により定義される。また、更に詳細な記述を提供、本発明をより分かりやすくするため、図面における各部分について該相対サイズに基づいて制作せず、一部のサイズは他のサイズよって拡大され、または図面を簡潔に表示するために不要な細部については完全に図示していない。
【００１２】
図１Ａは本発明に係るより好ましい実施例のマルチチャンネルスピーカーの平面図である。図１Ａに示す様に、本発明における好ましい実施例のマルチチャンネルスピーカー１００は、第１スピーカー１０２と、少なくとも一つの第２スピーカー１０４と、複数の感知スイッチ１０６と、オーディオ制御装置１０８とを有する、一体成型のマルチチャンネルスピーカー１００である。第１スピーカー１０２は第２スピーカー１０４に隣接しており、第１スピーカー１０２は有線接続によって第２スピーカー１０４と接続してもよく、又は、第１スピーカー１０２は無線接続によって第２スピーカー１０４と接続してもよい。感知スイッチ１０６は第１スピーカー１０２と第２スピーカー１０４との間に設置されており、感知スイッチ１０６は機械式トリガー機構であっても、タッチ式感知機構であってもよいが、この限りではない。オーディオ制御装置（Audio Codec IC）１０８は感知スイッチ１０６に電気的接続しており、感知スイッチ１０６からの信号を受信してチャンネルの切り替えを判断する。通常の場合、マルチチャンネルスピーカー１００における第１スピーカー１０２と第２スピーカー１０４は接続して一チャンネル或いは二チャンネルとして用いられる。それに対して、第２スピーカー１０４は第１スピーカー１０２と分離された場合、図１Ｂに示すように、第１スピーカー１０２と第２スピーカー１０４との間に設置された感知スイッチ１０６によって、オーディオ制御装置１０８に信号を出力する。この際、オーディオ制御装置１０８はマルチチャンネルスピーカー１００に対して一チャンネル又は二チャンネルから２.１チャンネルに切替えることを判定し、二つの第２スピーカー１０４をそれぞれ左チャンネルと右チャンネルのスピーカーとして用い、第１スピーカー１０２を低音スピーカーとして用いる。
【００１３】
図２Ａは、本発明に係るもう一つの実施例のマルチチャンネルスピーカーの平面図である。図２Ａに示すように、マルチチャンネルスピーカー２００は少なくとも一つの第１スピーカー２０２と、少なくとも一つの第２スピーカー２０４と、少なくとも一つの第３スピーカー２０６と、複数の感知スイッチ２０８と、オーディオ制御装置２１０とを主に含む。第１スピーカー２０２は第２スピーカー２０４に隣接し、第２スピーカー２０４は第３スピーカー２０６に隣接しており、第１スピーカー２０２、第２スピーカー２０４と、第３スピーカー２０６は有線接続あるいは無線接続によって接続されてもよい。例えば、無線通信は赤外線通信であってもブルートゥース通信であってもよいが、この限りではない。感知スイッチ２０８はそれぞれ第１スピーカー２０２と第２スピーカー２０４との間、及び第２スピーカー２０４と第３スピーカー２０６の間に設置されており、感知スイッチ２０８は機械式トリガー機構であっても、タッチ式感知機構であってもよいが、この限りではない。オーディオ制御装置２１０は感知スイッチ２０８に電気的接続しており、感知スイッチ２０８からの信号を受信してチャンネルの切り替えを判断する。通常の場合、マルチチャンネルスピーカー２００における第１スピーカー２０２、第２スピーカー２０４と第３スピーカー２０６は接続しており、第２スピーカー２０４が第３スピーカー２０６と分離された場合、第２スピーカー２０４と第３スピーカー２０６との間に設置された感知スイッチ２０８は、オーディオ制御装置２１０に信号を出力する。この際、オーディオ制御装置２１０はマルチチャンネルスピーカー２００に対して１チャンネル又は２チャンネルから２.１チャンネルに切替えられることを判定し、２つの第３スピーカー２０６をそれぞれ、左チャンネルと右チャンネルとのスピーカーとして用い、第１スピーカー２０２と、第２スピーカー２０４とを低音スピーカーとして用いる。
【００１４】
更に、第２スピーカー２０４が第１スピーカー２０２と分離された場合、図２Ｂに示すように、第１スピーカー２０２と第２スピーカー２０４との間に設置された感知スイッチ２０８もオーディオ制御装置２１０に信号を出力する。この際、マルチチャンネルスピーカー２００の出力方式は２.１チャンネルから５.０チャンネルに切替えられる。第１スピーカー２０２はメインチャンネルのスピーカーとなり、第２スピーカー２０４は前左スピーカーと前右スピーカーとなり、第３スピーカー２０６は後左スピーカーと後右スピーカーとなる。前述で分かるように、感知スイッチ２０８をスピーカーの間に設置することにより、スピーカーが分離された場合、オーディオ制御装置２１０がチャンネルの切り替えを行うことを受信するので、ボタンによりチャンネルの切り替えを行う必要が無い。また、説明を要するのは、前述した実施例に係る一チャンネルから２.１チャンネル或いは５.０チャンネルへの切替えについて、本発明が２.１チャンネル或いは５.０チャンネルへの切り替えに限定されないことであり、スピーカー数の増加または削減によって一チャンネル或いは２チャンネルから２.０チャンネル、５.１チャンネルまたは７.１チャンネルのスピーカーに切替えることができる。
【００１５】
一方、異なる実施例において、スピーカーの切り替え順序は、まず第１スピーカー２０２を第２スピーカー２０４と分離してから、第２スピーカー２０４を第３スピーカー２０６と分離しても、一チャンネルからマルチチャンネルへ切替えることができる。本発明に係るスピーカーの切り替え順序は制限されていない。
【産業上の利用可能性】
【００１６】
前述したように、スピーカーとスピーカーとの間に感知スイッチを設置することによって、スピーカーがスピーカーと分離された場合、チャンネルの切替えが行われていることを感知できるので、直感的に切替えることが可能となり、手動スイッチを通じてチャンネルの切り替えを行う必要はなく、最も簡単な使用ロジックに達することができる。
【００１７】
本発明に係る実施例を上述のように開示したが、本発明は前記実施例に制限されない。係る技術に熟達する者はその要旨を逸脱しない範囲において、記述された形状、構成、特徴及び数量などの修正が可能であることは勿論であって、本発明の技術的範囲は、本明細書における特許請求の範囲により定義される。
【符号の説明】
【００１８】
１００  …  マルチチャンネルスピーカー
１０２  …  第１スピーカー
１０４  …  第２スピーカー
１０６  …  感知スイッチ
１０８  …  オーディオ制御装置
２００  …  マルチチャンネルスピーカー
２０２  …  第１スピーカー
２０４  …  第２スピーカー
２０６  …  第３スピーカー
２０８  …  感知スイッチ
２１０  …  オーディオ制御装置
【図１Ａ】
0005526216.tif 000002
【図１Ｂ】
0005526216.tif 000003
【図２Ａ】
0005526216.tif 000004
【図２Ｂ】
0005526216.tif 000005